(57)【要約】【課題】毛髪化粧料セット包装箱等に収納し得る薄くコンパクトなブラシ部品一体成形キット等の提供。【解決手段】毛髪化粧料用ブラシ組立用の樹脂製部品一式、具体的には、少なくともブラシ歯を備えたブラシ基台と、ブラシのハンドルの左右片側部を構成する１対のハンドル部材とを含み、該ハンドル部材は（ａ）前記基台部品に対する組付け手段と（ｂ）ハンドル部材相互の組付け手段を備え、更に、（ｃ）組付け状態において筒状の立体構造を備えたハンドルを構成するか、及び／又は、（ｄ）ハンドルを基台部品の背面側へ立上げるための屈曲形状を備える。【選択図】　　　　図１０
2004057455.tif 000002
【特許請求の範囲】
【請求項１】
毛髪化粧料用ブラシ組立用の樹脂製部品一式を個別にかつ連結して成形した部品キットであって、少なくとも以下の部品及び部材を含むことを特徴とするブラシ部品成形キット。
（１）ブラシ歯を備えたブラシ基台を構成する基台部品。
（２）ブラシのハンドルにおけるそれぞれ左右の片側部を構成する１対のハンドル部材であって、（ａ）前記基台部品に対する組付け手段を備え、（ｂ）ハンドル部材相互の組付け手段を備え、（ｃ）組付け状態において筒状の立体構造を備えたハンドルを構成する、ハンドル部材。
【請求項２】
毛髪化粧料用ブラシ組立用の樹脂製部品一式を個別にかつ連結して成形した部品キットであって、少なくとも以下の部品及び部材を含むことを特徴とするブラシ部品成形キット。
（１）ブラシ歯を備えたブラシ基台を構成する基台部品。
（２）ブラシのハンドルにおけるそれぞれ左右の片側部を構成する１対のハンドル部材であって、（ａ）前記基台部品に対する組付け手段を備え、（ｂ）ハンドル部材相互の組付け手段を備え、（ｄ）ハンドルを基台部品の背面側へ立上げるための屈曲形状を備える、ハンドル部材。
【請求項３】
前記１対のハンドル部材が、前記（ａ）、（ｂ）、（ｃ）及び（ｄ）の全ての構成を備えることを特徴とする請求項１又は請求項２に記載のブラシ部品成形キット。
【請求項４】
前記基台部品と１対のハンドル部材とが略平行にかつ横並びの状態で配列されていることを特徴とする請求項１〜請求項３のいずれかに記載のブラシ部品成形キット。
【請求項５】
前記ブラシ部品成形キットに含まれる部品及び部材が、キット平面方向に沿って伏せた状態で成形されていることを特徴とする請求項１〜請求項４のいずれかに記載のブラシ部品成形キット。
【請求項６】
前記１対のハンドル部材間、及び／又は、これらのハンドル部材と前記基台部品間が直接に、あるいはベース部材を介して、薄肉のヒンジにより連結成形されており、これらが互いにヒンジ動作によって組付け位置に達するように構成されていることを特徴とする請求項１〜請求項５のいずれかに記載のブラシ部品成形キット。
【請求項７】
前記基台部品のブラシ歯を比較的短く形成したことを特徴とする請求項１〜請求項６のいずれかに記載のブラシ部品成形キット。
【請求項８】
前記１対のハンドル部材の厚さが、前記基台部品におけるブラシ歯を含めた厚さを超えないことを特徴とする請求項１〜請求項７のいずれかに記載のブラシ部品成形キット。
【請求項９】
請求項１〜請求項８のいずれかに記載のブラシ部品成形キットを、毛髪化粧料及び、必要な場合にはその他の任意の付属品と共に包装箱中にコンパクトに収納したことを特徴とする毛髪化粧料セット包装。
【請求項１０】
請求項１〜請求項８のいずれかに記載のブラシ部品成形キットを用いて組み立てられたブラシであって、少なくともハンドルが１対のハンドル部材の組み付けによって構成されており、かつ、１）該ハンドルが筒状の立体的構造を備え、及び／又は、２）該ハンドルがブラシ基台におけるブラシ歯形成面に対する背面方向へ立ち上がった形状を有する、ことを特徴とする毛髪化粧料用ブラシ。
【発明の詳細な説明】
【０００１】
【発明の属する技術分野】
本発明は、ブラシ部品成形キット、毛髪化粧料セット包装、及び毛髪化粧料用ブラシに関する。更に詳しくは、本発明は、本来的に嵩張る部品である毛髪化粧料用ブラシを極めて薄い平面的形態の一体品として流通あるいは販売に供することができるブラシ部品成形キット、このブラシ部品成形キットを用いることにより、毛髪化粧料、毛髪化粧料用ブラシ及びその他の必要又は有用な任意の付属品の一式を毛髪化粧料セットとして包装箱中にコンパクトに収納した毛髪化粧料セット包装、及び、前記ブラシ部品成形キット等を用いて簡易に組み立てた軽量かつ堅牢な毛髪化粧料用ブラシに関する。
【０００２】
【従来の技術】
染毛剤等の毛髪化粧料を毛髪に施用するための毛髪化粧料用ブラシは、一般的に、図１に示すブラシ１のように、ブラシ歯２，２，・・・を備えたブラシ基台部３と、ブラシを操作するためのハンドル部４とを樹脂材料等を用いて一体的に成形したものである。そして、ブラシ１の使い勝手の良さを考慮して、ブラシ基台部３もハンドル部４も比較的縦長の形状に形成されるため、全体として縦方向（ブラシの長手方向）にかなり嵩張った形状となっている。そしてハンドル部４は、一定の強度が要求されることから、比較的太く頑丈に造られている。
【０００３】
一方、ブラシ基台部とハンドル部が直線的に構成されると、毛髪の生え際や揉み上げ部分に対するブラシ操作が行い難く、その際にハンドル部が耳や頬等に接触して毛髪化粧料の付着を招いたりする場合もある。
【０００４】
そのため、例えば図２に示すブラシ５のように、ブラシ基台部６に対してハンドル部７を背面方向（ブラシ基台部６のブラシ歯形成面に対する背面方向）へ立ち上げて形成したものも提供されている。このようなブラシ５では、使い勝手が良くなる反面、縦方向だけでなく厚み方向にも嵩張った形状となる。
【０００５】
【発明が解決しようとする課題】
ところで、毛髪化粧料等の流通・販売に当たり、毛髪化粧料、毛髪化粧料用ブラシ及びその他の必要又は有用な付属品の一式を簡易なセット包装として提供したい場合がある。このようなセット包装商品は、利用する顧客の立場からも非常に喜ばれる。但し、セット包装商品の運送・保管コストや、利用する顧客の便宜等を考えた場合、毛髪化粧料セットがなるべく小さな包装箱中にコンパクトに収納されている必要がある。
【０００６】
しかしながら、上記した従来の毛髪化粧料用ブラシは、縦方向にあるいは縦方向及び厚み方向に嵩張った形状であるため、毛髪化粧料セットの包装箱中におけるコンパクトな収納レイアウトが難しく、必然的に包装箱が無駄なスペースを残して大型化すると言う問題があった。
【０００７】
このような点に関して、例えば特開２００１−３４０１３８号公報には、図３に示すように、ブラシ基台部８とハンドル部９とが別体に成形され、これらを組み付けてブラシ１０を構成する技術が開示されている。又、実用新案登録第２５７８７８４号公報にも、図４に示すように、ブラシ基台部１１とハンドル部１２とが別体に成形され、これらを組み付けてブラシ１３を構成する技術が開示されている。
【０００８】
これらのブラシは、組み付け前の状態において少なくとも縦方向に嵩張らない。しかし、ブラシ基台部とハンドル部とが別体に成形されているため取り扱いに不便である。又、ハンドルをブラシ基台の背面方向へ立ち上げた形態とするため、ハンドルを所定の屈曲形状に形成しており、しかも強度の点から太く形成しているので、コンパクトな収納を図る上で厚み方向への嵩張りの問題は解消されない。
【０００９】
そこで本発明は、上記の問題や要求に対応できる毛髪化粧料用ブラシ及び毛髪化粧料セット包装を提供することを、解決すべき課題とする。本願発明者は、嵩張った形状が問題となるブラシをブラシ部品キットとして極めて平面的かつコンパクトに一体成形し、しかも各部品が簡単な組み付けにより強度性良好なブラシを構成できるように構成することにより、上記課題を解決した。
【００１０】
【課題を解決するための手段】
（第１発明の構成）
上記課題を解決するための本願第１発明（請求項１に記載の発明）の構成は、毛髪化粧料用ブラシ組立用の樹脂製部品一式を個別にかつ連結して成形した部品キットであって、少なくとも以下の部品及び部材を含む、ブラシ部品成形キットである。
（１）ブラシ歯を備えたブラシ基台を構成する基台部品。
（２）ブラシのハンドルにおけるそれぞれ左右の片側部を構成する１対のハンドル部材であって、（ａ）前記基台部品に対する組付け手段を備え、（ｂ）ハンドル部材相互の組付け手段を備え、（ｃ）組付け状態において筒状の立体構造を備えたハンドルを構成する、ハンドル部材。
【００１１】
なお、本願発明において「筒状」とは、円筒状、角筒状（三角筒状や四角筒状など）等の各種の径方向の断面形状を持った筒形状を含み、更に、後述の実施例に示すように、径方向の断面形状において一辺が欠失した角筒状（例えば、一辺が欠失した三角筒状）等の、変則的な筒形状をも含む概念である。
【００１２】
（第１発明の作用・効果）
第１発明に係るブラシ部品成形キットにおいては、ブラシ基台を構成する基台部品と、ハンドルを構成するためのハンドル部材とが一体的に成形されていないため、キット全体を平面方向（ブラシの長手方向）に嵩張らないように構成することができる。又、ハンドルをその左右の片側部を構成する１対のハンドル部材として分割成形している点から、キット全体を厚み方向にも嵩張らないように構成することができる。
【００１３】
以上のように平面方向にも厚み方向にも嵩張らず、しかも全体が一体成形されたブラシ部品成形キットは、取り扱いが簡易で、かつ包装箱中にコンパクトに収納できる。従ってこれを毛髪化粧料セット包装に組み込むことにより、毛髪化粧料セットを包装箱中にコンパクトにレイアウトして収納できる。その結果、包装箱を小型化してセット包装商品の運送・保管コストの低減を図れるし、利用する顧客に対する便宜性も向上する。
【００１４】
しかも、１対のハンドル部材が組付け状態において筒状の立体構造を備えたハンドルを構成するので、キットにおいてハンドルの太さに基づく厚み方向への嵩張りを回避すると共に、組付け状態では筒状立体構造の強度性良好なハンドルを構成することができる。
【００１５】
ブラシ部品成形キットに含まれる基台部品やハンドル部材は互いの組付け手段を備えているので、これらの部品や部材を容易に組付けて毛髪化粧料用ブラシを組立てることができる。
【００１６】
（第２発明の構成）
上記課題を解決するための本願第２発明（請求項２に記載の発明）の構成は、毛髪化粧料用ブラシ組立用の樹脂製部品一式を個別にかつ連結して成形した部品キットであって、少なくとも以下の部品及び部材を含む、ブラシ部品成形キットである。
（１）ブラシ歯を備えたブラシ基台を構成する基台部品。
（２）ブラシのハンドルにおけるそれぞれ左右の片側部を構成する１対のハンドル部材であって、（ａ）前記基台部品に対する組付け手段を備え、（ｂ）ハンドル部材相互の組付け手段を備え、（ｄ）ハンドルを基台部品の背面側へ立上げるための屈曲形状を備える、ハンドル部材。
【００１７】
（第２発明の作用・効果）
第２発明に係るブラシ部品成形キットにおいても、第１発明の場合と同様に、ブラシ基台を構成する基台部品と、ハンドルを構成するためのハンドル部材とが一体的に成形されていないため、キット全体を平面方向（ブラシの長手方向）に嵩張らないように構成することができる。又、ハンドルをその左右の片側部を構成する１対のハンドル部材として分割成形している点から、キット全体を厚み方向にも嵩張らないように構成することができる。
【００１８】
特に第２発明においてはハンドル部材によって構成されるハンドルが基台部品の背面側へ立上がる屈曲形状を備えるので、ハンドル部材を後述のようにキット平面方向に沿って伏せた状態で成形したい場合が多くなる。従って、キットの厚み方向への嵩張りを有効に防止する上で、ハンドルを１対のハンドル部材として分割成形している点のメリットが大きい。
【００１９】
以上のように平面方向にも厚み方向にも嵩張らず、しかも全体が一体成形されたブラシ部品成形キットは、取り扱いが簡易で、かつ包装箱中にコンパクトに収納できる。従ってこれを毛髪化粧料セット包装に組み込むことにより、毛髪化粧料セットを包装箱中にコンパクトにレイアウトして収納できる。その結果、包装箱を小型化してセット包装商品の運送・保管コストの低減を図れるし、利用する顧客に対する便宜性も向上する。
【００２０】
しかも、１対のハンドル部材が、組付け状態において基台部品の背面側へ立上がる屈曲形状のハンドルを構成するので、ブラシ使用時において毛髪の生え際や揉み上げ部分に対するブラシ操作が行い易く、その際にハンドル部が耳や頬等に接触して毛髪化粧料の付着を招いたりする不具合も起こり難い。
【００２１】
ブラシ部品成形キットに含まれる基台部品やハンドル部材は互いの組付け手段を備えているので、これらの部品や部材を容易に組付けて毛髪化粧料用ブラシを組立てることができる。
【００２２】
（第３発明の構成）
上記課題を解決するための本願第３発明（請求項３に記載の発明）の構成は、前記第１発明又は第２発明に係る１対のハンドル部材が、前記（ａ）、（ｂ）、（ｃ）及び（ｄ）の全ての構成を備える、ブラシ部品成形キットである。
【００２３】
（第３発明の作用・効果）
第３発明のブラシ部品成形キットにおいては、１対のハンドル部材が、（ａ）、（ｂ）、（ｃ）及び（ｄ）の全ての構成を備えるので、前記第１発明及び第２発明の作用・効果を併せ得ることができる。
【００２４】
（第４発明の構成）
上記課題を解決するための本願第４発明（請求項４に記載の発明）の構成は、前記第１発明〜第３発明に係る基台部品と１対のハンドル部材とが略平行にかつ横並びの状態で配列されている、ブラシ部品成形キットである。
【００２５】
（第４発明の作用・効果）
ブラシ部品成形キットに含まれる基台部品と１対のハンドル部材とを第４発明のように配列することにより、基台部品及びハンドル部材を縦長に成形したとしても、ブラシ部品成形キットの全体が縦方向に長く形成されることを特に有効に回避できる。
【００２６】
（第５発明の構成）
上記課題を解決するための本願第５発明（請求項５に記載の発明）の構成は、前記第１発明〜第４発明に係るブラシ部品成形キットに含まれる部品及び部材が、キット平面方向に沿って伏せた状態で成形されている、ブラシ部品成形キットである。
【００２７】
（第５発明の作用・効果）
第５発明においては、ブラシ部品成形キットに含まれる基台部品及びハンドル部材等の部品及び部材をキット平面方向に沿って伏せた状態で成形しているため、キット全体を厚み方向に更に嵩張らないように構成することができる。
【００２８】
とりわけ、１対のハンドル部材が、組付け状態において基台部品の背面側へ立上がる形状のハンドルを構成できる屈曲形状を備える場合において、キット全体の厚み方向への嵩張り防止に有効である。
【００２９】
（第６発明の構成）
上記課題を解決するための本願第６発明（請求項６に記載の発明）の構成は、前記第１発明〜第５発明に係る１対のハンドル部材間、及び／又は、これらのハンドル部材と前記基台部品間が直接に、あるいはベース部材を介して、薄肉のヒンジにより連結成形されており、これらが互いにヒンジ動作によって組付け位置に達するように構成されている、ブラシ部品成形キットである。
【００３０】
（第６発明の作用・効果）
第６発明においては、ハンドル部材間や、ハンドル部材と基台部品間に、直接に、あるいはベース部材を介して設けた薄肉のヒンジが、成形ランナーに代わる連結手段として機能し、かつこれらの部品や部材の組付けガイドとして機能することができる。
【００３１】
このような薄肉のヒンジは、ブラシの組み立てにおいて切断しない。そして、これらのヒンジを利用することにより、ブラシ部品成形キットからのブラシの組み立てを特に容易に行うことができる。
【００３２】
（第７発明の構成）
上記課題を解決するための本願第７発明（請求項７に記載の発明）の構成は、前記第１発明〜第６発明に係る基台部品のブラシ歯を比較的短く形成した、ブラシ部品成形キットである。
【００３３】
（第７発明の作用・効果）
上記のように構成された第１発明〜第６発明に係るブラシ部品成形キットにおいては、通常は、ブラシ歯を備えたブラシ基台を構成する基台部品が、最も厚みのある部品である。従って、ブラシ部品成形キット全体の厚みは基台部品のブラシ歯の長さに依存することになる。このため、基台部品のブラシ歯を比較的短く形成することが、より好ましい。
【００３４】
毛髪を梳くよりも毛髪に対して化粧料を施用することを主目的とする毛髪化粧料用ブラシにおいては、ブラシ歯を比較的短く形成することは、ブラシ使用時において毛髪の根元に接触するブラシ歯の頂部にまで毛髪化粧料を良好に保持させ、毛髪の根元にまで毛髪化粧料を十分に施用する点でも有利である。
【００３５】
（第８発明の構成）
上記課題を解決するための本願第８発明（請求項８に記載の発明）の構成は、前記第１発明〜第７発明に係る１対のハンドル部材の厚さが、前記基台部品におけるブラシ歯を含めた厚さを超えない、ブラシ部品成形キットである。
【００３６】
なお、ハンドル部材の「厚さ」とは、これらのハンドル部材がハンドルにおける左右の片側部を構成した状態における、その左右の幅方向の厚さを言う。又、基台部品の「ブラシ歯を含めた厚さ」とは、基台部品におけるブラシ歯を立設した方向へのブラシ歯を含めた高さを言う。
【００３７】
（第８発明の作用・効果）
ブラシ部品成形キット全体の厚みを低減させる見地から、１対のハンドル部材の厚さは、第８発明のように、ブラシ歯を含めた基台部品の厚さを超えないようにすることが好ましい。
【００３８】
換言すれば、基台部品の厚さを超えない範囲において、ハンドルの強度を特に高く設計したい場合には１対のハンドル部材を厚く設計し、材料費を節約したい場合には１対のハンドル部材を薄く設計することが好ましい。
【００３９】
更に、ハンドルの強度を特に高く設計し、かつハンドル部材の材料費を節約したい場合には、例えばハンドル部材の周縁部に沿って補強用リブを立設することが有効である。これらの補強用リブも、基台部品の厚さを超えない範囲において立設することがより望ましく、かつハンドル構成時において補強用リブがハンドルの筒状立体構造の構成手段となることが、特に好ましい。
【００４０】
（第９発明の構成）
上記課題を解決するための本願第９発明（請求項９に記載の発明）の構成は、第１発明〜第８発明のいずれかに係るブラシ部品成形キットを、毛髪化粧料及び、必要な場合にはその他の任意の付属品と共に包装箱中にコンパクトに収納した、毛髪化粧料セット包装である。
【００４１】
（第９発明の作用・効果）
毛髪化粧料セット包装に第１発明〜第８発明のいずれかに係るブラシ部品成形キットを組み込むことにより、取り扱いが簡易で、かつ構成商品が小さな包装箱中にコンパクトに収納された毛髪化粧料セット包装を提供することができる。
【００４２】
毛髪化粧料セット包装は、毛髪化粧料及びブラシ部品成形キットのみから構成することができる。しかし、必要に応じて、その他の任意の付属品も含むことが、更に好ましい。
【００４３】
（第１０発明の構成）
上記課題を解決するための本願第１０発明（請求項１０に記載の発明）の構成は、第１発明〜第８発明のいずれかに係るブラシ部品成形キットを用いて組み立てられたブラシであって、少なくともハンドルが１対のハンドル部材の組み付けによって構成されており、かつ、１）該ハンドルが筒状の立体的構造を備え、及び／又は、２）該ハンドルがブラシ基台におけるブラシ歯形成面に対する背面方向へ立ち上がった形状を有する、毛髪化粧料用ブラシである。
【００４４】
（第１０発明の作用・効果）
第１０発明の毛髪化粧料用ブラシは、第１発明〜第８発明のいずれかに係るブラシ部品成形キットを用いて組み立てられるため、組み立てが簡単であり、かつ組み立てに当たり特定の部品を紛失して難儀する恐れがない。
【００４５】
又、１対のハンドル部材の組み付けによって構成されたハンドルが、１）筒状の立体的構造を備えるため、十分な強度を備え、しかもハンドルの材料コストが低廉であり、及び／又は、２）該ハンドルがブラシ基台におけるブラシ歯形成面に対する背面方向へ立ち上がった形状を有するため、ブラシ使用時において毛髪の生え際や揉み上げ部分に対するブラシ操作が行い易く、ハンドル部が耳や頬等に接触して毛髪化粧料の付着を招いたりする不具合も起こり難い。
【００４６】
【発明の実施の形態】
次に第１発明〜第１０発明の実施の形態を説明する。以下において「本発明」と言うときは、第１発明〜第１０発明を一括して指している。
【００４７】
〔ブラシ部品成形キット〕
本発明において、ブラシ部品成形キットは、毛髪化粧料用ブラシ組立用の樹脂製部品一式を個別にかつ連結して成形した部品キットである。
【００４８】
ブラシ部品成形キットの成形に用いる樹脂材料の種類は、このような目的に使用可能である限りにおいて、全く限定されない。一部の例を挙げると、ポリプロピレン（ＰＰ）、直鎖状低密度ポリエチレン（ＬＬＤＰＥ）、低密度ポリエチレン（ＬＤＰＥ）、中密度ポリエチレン（ＭＤＰＥ）、高密度ポリエチレン（ＨＤＰＥ）、アクリロニトリル−スチレン共重合体とアクリロニトリル−ブタジエン共重合体との混合樹脂（ＡＢＳ）、アクリロニトリル−スチレン共重合体（ＡＳ）、ポリスチレン（ＰＳ）、ポリカーボネート（ＰＣ）、又はこれらの２種以上の混合材料等を任意に選択して使用できる。引張強さや伸び率等の特性からＰＰ、ＬＬＤＰＥ、ＬＤＰＥ、ＭＤＰＥ、ＨＤＰＥが好ましい。
【００４９】
その他にも、材料コスト、成形性（特に薄肉のヒンジやランナー部の成形性）等を考慮して、適宜な熱可塑性樹脂や熱硬化性樹脂も任意に利用できる。
【００５０】
上記した「部品一式」とは、少なくとも基台部品と１対のハンドル部材を含み、その他にも、ブラシを構成し、又はその組み立てを行う上で必要又は有益な任意の部品又は部材を含み得る。そのような部品又は部材として、例えば、１対のハンドル部材の組み付け又はこれらのハンドル部材と基台部品との組み付けのために利用する板状のベース部材を例示できる。又、１対のハンドル部材同士の組み付けや、これらと基台部品との組み付けを別体のピン、ネジ等を利用して行う場合には、これらのピン、ネジ等も例示できる。
【００５１】
上記した「部品一式を個別にかつ連結して成形した」とは、各部品が独立の形態を持って個別に成形され、かつ連結成形用のランナー部等によって、あるいは必要な場合には薄肉のヒンジ部を介して、互いに一体的に連結成形されていることを言う。ブラシ部品成形キットには、その外周全体を取り囲むように外枠部材を設けても良い。外枠部材を設ける場合には、これとブラシ部品成形キットに含まれる部品又は部材との間も、連結成形用のランナー部等によって適宜に連結することができる。
【００５２】
ブラシ部品成形キットに含まれる部品又は部材の相互の配置又は配列に関しては、特段に限定されない。但し、以下の第１条件、及び／又は、第２条件に従うことが、より好ましい。
【００５３】
第１条件は、基台部品と１対のハンドル部材とが略平行にかつ横並びの状態で配列されていることである。このような配列により、比較的縦長の形状に形成される基台部品と１対のハンドル部材とを含んでいるブラシ部品成形キットの、縦方向の全長を有効に短縮することができる。又、このような配列は、１対のハンドル部材間や、ハンドル部材と基台部品との間を、直接に又は板状のベース部材を介して、後述する薄肉のヒンジを用いて連結する場合に好都合である。
【００５４】
第２条件は、各部品又は部材がキット平面方向に沿って伏せた状態で配置又は配列されていることである。「キット平面方向に沿って伏せた状態」とは、各部品又は部材がキットの厚さを最も少なくするような配向で形成されていることを言う。例えば、基台部品に関しては、通常はブラシ歯の形成面がキット平面方向に沿うように形成されていることが好ましい。１対のハンドル部材に関しては、ハンドル部材の合わせ面（組み付けによりハンドルを形成するための分割面）がキット平面方向に沿うように形成されていることが好ましい。ハンドル部材をこのように配置又は配列させることは、ハンドル部材がハンドルを基台部品の背面側へ立上げるための屈曲形状を備える場合において、ブラシ部品成形キットの全体的な厚みを低減させる効果が大きく、特に好ましい。
【００５５】
ブラシ部品成形キットに含まれる１対のハンドル部材を略平行にかつ横並びに配置し（例えば、同一の向きに、かつ左右対象に配置し）、両者間を薄肉のヒンジにより連結成形することも好ましい。特に１対のハンドル部材の基部同士をこのようにヒンジを介して連結成形することが好ましい。この場合、ブラシ部品成形キットからヒンジ付きの状態で切り離した１対のハンドル部材をヒンジ動作させるだけで、互いに組付けできる位置に到らせることができる。
【００５６】
又、１対のハンドル部材を上記のようにヒンジを介して連結成形するに当たり、両者の中間にハンドル部材の組み付けのために利用する板状のベース部材を介在させ、このベース部材に対して１対のハンドル部材が薄肉のヒンジを介して連結成形されている形態も好ましい。この場合、ハンドルが、後述の組み付け手段を利用した組み付け状態において、ベース部材と１対のハンドル部材とからなる３角形の断面形状の筒状構造を持つことになり、その強度が向上する。
【００５７】
更に、ハンドル部材と基台部品とを略平行にかつ横並びに配置し（例えば、基台部品の両側に１対のハンドル部材を左右対象に配置し）、ハンドル部材と基台部品間を折り返し用の薄肉のヒンジを介して連結成形する形態も好ましい。この場合、ブラシ部品成形キットからヒンジ付きの状態で切り離したハンドル部材に対して基台部品をヒンジ動作（折り返し動作）させるだけで、互いに組付けできる位置に到らせることができる。
【００５８】
この場合にも、上記のようなベース部材を有効に利用できる。例えば、ベース部材の左右両側に１対のハンドル部材の基部（基台部品に対する組み付け部）を薄肉のヒンジを介して連結成形し、かつベース部材において前記ハンドル部材の先端側に該る端部に薄肉のヒンジを介して基台部品を連結成形することができる。このように構成することにより、まず上記のようにして、ベース部材と１対のハンドル部材とからなる３角形の断面形状の筒状構造を持つハンドルを組み付け、次いで基台部品をヒンジ動作（折り返し動作）させてハンドルに対する組み付け位置に到らせ、これを後述の組み付け手段を利用してハンドルに組み付けることにより、通常の形状のブラシを完成することができる。
【００５９】
〔基台部品〕
本発明のブラシ部品成形キットに含まれる基台部品は、ブラシ歯を備えたブラシ基台を構成する部分である。基台部品は、ハンドル部材に設ける基台部品への組付け手段に対応した組付け部を備えることができる。
【００６０】
基台部品におけるブラシ基台の形状及びサイズ、ブラシ歯の形態及びサイズ等は全く限定されない。但し、ブラシ部品成形キットの厚さを低減する点や、ブラシ使用時において毛髪の根元に接触するブラシ歯の頂部にまで毛髪化粧料を良好に保持させる点からは、ブラシ歯を比較的短く形成することが好ましい。例えば、ブラシ歯の長さを２〜１０ｍｍ、好ましくは２〜８ｍｍ、更に好ましくは４〜６ｍｍとすることができる。
【００６１】
〔ハンドル部材〕
本発明のブラシ部品成形キットに含まれる１対のハンドル部材は、ブラシのハンドルにおけるそれぞれ左右の片側部を構成する部分である。
【００６２】
ブラシにおけるハンドルの形状を規定するハンドル部材の平面形状（ハンドル部材の合わせ面方向から見た形状）、サイズ及びその厚み方向の構成は、限定されない。例えば、単にストレートは平板形状であっても良く、後述の実施例に示すように、ハンドルを基台部品の背面側へ立上げるための屈曲した平面形状を備えた板状であっても良い。
【００６３】
上記のように屈曲したハンドル部材の平面形状において、その屈曲幅は重要な要素の一つである。「屈曲幅」とは、基台部品からのハンドルの立ち上げ幅を規定するものであり、より具体的に言えば、例えば後述の図９に示す実施例に係る幅Ｌ１、図１４に示す実施例に係る幅Ｌ２等である。前記した屈曲形状のハンドルを設ける趣旨からして、例えば屈曲幅を１０〜４５ｍｍ、より好ましくは２５〜４０ｍｍ、更に好ましくは３０〜４０ｍｍに設定できる。ハンドル部材の長手方向（即ち、ハンドルを構成した状態におけるハンドルの軸方向）の全長も任意に設定できる。１対のハンドル部材の平面形状は、合わせ面に対して対称形状であることが、より好ましい。
【００６４】
ハンドル部材の厚み方向の構成に関しては、上記のような任意の平面形状を有し、かつ平坦な平板状に形成しても良く、その平面形状の適当な部分に厚み方向への補強用リブを立設した形状としても良い。このような補強用リブは、特に平面形状の周縁部に沿って合わせ面方向へ立設することが好ましい。
【００６５】
上記の補強用リブを立設する場合も含めて、ハンドル部材の厚みは限定されないが、ブラシ部品成形キットを全体的に薄く平坦に形成する見地からは、ハンドル部材の厚さが基台部品におけるブラシ歯を含めた厚さを超えないことが、より好ましい。
【００６６】
１対のハンドル部材は、少なくとも（ａ）基台部品に対する組付け手段を備え、かつ、（ｂ）ハンドル部材相互の組付け手段を備える。１対のハンドル部材は、更に、（ｃ）組付け状態において筒状の立体構造を備えたハンドルを構成するように形成されており、又は、（ｄ）ハンドルを基台部品の背面側へ立上げるための屈曲形状を備える。上記（ｃ）と（ｄ）の構成を併せ備えることが、特に好ましい。
【００６７】
上記（ａ）に関して、組付け手段の内容又は種類は限定されない。一例として、１対のハンドル部材と基台部品とをネジ込みによって組付けることができる。この場合、片方のハンドル部材に完成した雄ネジ又はネジ孔を構成し、基台部品にはこれに螺合するネジ孔又は雄ネジを形成することもできる。
【００６８】
しかし、ハンドル部材の基部の合わせ面に雄ネジ又はネジ孔の各半分を形成し、１対のハンドル部材の組み付けにより雄ネジ又はネジ孔を完成した後、これを基台部品に設けた対応するネジ孔又は雄ネジにネジ込む構成とすることが、より好ましい。基台部品側のネジ孔又は雄ネジは、例えば基台部品の背面側や、基台部品の端部側面に設けても良い。
【００６９】
上記（ａ）に関する組付け手段の他の一例として、樹脂材料の弾性的変形能を利用した凹部に対する凸部の圧入も利用できる。この場合、上記と同様にして１対のハンドル部材の基部に例えば凸部を形成し、これを基台部品に設けた対応する凹部に圧入する構成とすることができる。このような凹凸部を２ケ所以上に設けることで、ハンドル部材と基台部品との組み付け状態を安定化できる。
【００７０】
更に、１対のハンドル部材と基台部品とを、直接に、あるいは前記したベース部材を介して、薄肉のヒンジを介して連結成形した場合には、このヒンジが上記（ａ）の組付け手段となっている。
【００７１】
上記（ｂ）に関しても、組付け手段の内容又は種類は限定されない。一例として、１対のハンドル部材の合わせ面の適当な箇所に互いに対応する凹部と凸部を設け、凹部に対する凸部の圧入を利用することができる。凹部と凸部に代え、１対のハンドル部材に同軸のピン孔又はネジ孔を設け、別体のピン又はネジを利用して組付けることもできる。
【００７２】
上記（ｃ）に関して、筒状の立体構造を備えたハンドルを構成する形態は限定されない。その一例として、前記のように１対のハンドル部材の合わせ面に補強用リブを立設することにより、ハンドルにおける筒状の立体構造を形成する場合がある。他の一例として、前記したように、１対のハンドル部材の中間に板状のベース部材を介在させ、ベース部材と１対のハンドル部材とからなる３角形の断面形状の筒状構造を形成する場合がある。
【００７３】
上記（ｄ）に関して、１対のハンドル部材に前記した所定の屈曲形状を与えるが、その他にも、１対のハンドル部材からなるハンドルを基台部品の背面に組み付けることや、前記ベース部材を利用する場合において前記折り返し用のヒンジを利用してハンドルを基台部品の背面側に折り返して組み付けることも、ハンドルを基台部品の背面側へ立上げるための有効な手段となり得る。
【００７４】
〔毛髪化粧料セット包装〕
毛髪化粧料セット包装は、少なくとも容器入りの毛髪化粧料と、ブラシ部品成形キットとを含む。必要に応じて、その他の任意の付属品も含む。毛髪化粧料の種類は限定されないが、例えば、１剤式、２剤式等の染毛剤、ヘアマニキュア、一時着色料等が挙げられる。
【００７５】
付属品の種類も限定されないが、例えば、取扱説明書、手袋、ケープ、ヘアキャップ、イヤーキャップ、生え際用ミニブラシ、及びミニコームから選ばれる１又は２以上の品等が挙げられる。
【００７６】
毛髪化粧料セット包装における包装手段も限定されない。例えば適宜な体裁の包装袋等も利用可能であるが、好ましくは包装箱と呼ばれる箱を包装手段とする。
【００７７】
毛髪化粧料セットの実際の収容形態としては、例えば、毛髪化粧料セットを構成する各商品をそのまま包装箱に詰め合わせたものや、ブラシ部品成形キットを偏平な角型筒状の紙容器に収容したもとで、これを毛髪化粧料セットを構成する他の各商品と共に包装箱に詰め合わせたもの、等を例示できる。
【００７８】
毛髪化粧料セットを収納する箱のサイズは自由に設定できるが、なるべく小さくすることが好ましい。例えば、包装箱においては、１００×７０ｍｍ程度の底面積で高さ１９０ｍｍ程度を上限とすること、特に８０×５０ｍｍ程度の底面積で高さ１７０ｍｍ程度とすることが好ましい。又、毛髪化粧料セットが染毛セットである場合の包装箱においては、９０×３０ｍｍ程度の底面積で高さ１８０ｍｍ程度を上限とすること、特に７０×１５ｍｍ程度の底面積で高さ１６０ｍｍ程度とすることが好ましい。
【００７９】
〔毛髪化粧料用ブラシ〕
本発明に係る毛髪化粧料用ブラシは、上記したブラシ部品成形キットを用いて組み立てられたものであって、必ずしも用途を限定されないが、主として毛髪化粧料を毛髪に施用するために用いられる。毛髪化粧料用ブラシは、少なくともそのハンドルが前記した１対のハンドル部材の組み付けによって構成されており、かつ、前記した意味において、１）該ハンドルが筒状の立体的構造を備え、及び／又は、２）該ハンドルがブラシ基台におけるブラシ歯形成面に対する背面方向へ立ち上がった形状を有する。
【００８０】
【実施例】
次に、本発明に係るブラシ部品成形キット及びこれを用いて組み付けた毛髪化粧料用ブラシの実施例を説明する。
【００８１】
〔実施例１〕
図５〜図７に示すブラシ部品成形キット１４は、ポリプロピレン樹脂を用いて一体的に型成形されたものであり、その外周全体を取り囲むように設けた長方形で環状の外枠部材１５の内側に、１対のハンドル部材１６、１６’と基台部品１７とが個別に成形されており、かつこれらが適宜に設けたランナー部１８を介して連結されている。
【００８２】
１対のハンドル部材１６、１６’は、ブラシのハンドルにおけるそれぞれ左右の片側部を構成するものであって、その左右の外側面が図５に、その分割面（ハンドルを構成するための合わせ面）が図６に示されている。基台部品１７は、そのブラシ面側が図６に、その背面側が図５に示されている。図から分かるように、ハンドル部材１６、１６’はその合わせ面に対して対称の構成である。
【００８３】
これらのハンドル部材１６、１６’と基台部品１７とは、ほぼ平行に、しかも横並びの状態で配列されており、そのために外枠部材１５が縦・横方向ともにコンパクトなサイズにまとめられている。又、ハンドル部材１６、１６’と基台部品１７は、いずれもキット平面方向に沿って伏せた状態で成形されているため、図７に示すようにその厚さは非常に小さく、毛髪化粧料セット包装の小箱中にコンパクトに収納するに適している。なお、図１８にこのような収納のごく簡略化した例示を示す。図１８においては、包装箱５２に、ブラシ部品成形キット１４と、毛髪化粧料容器５３とが収納される。同時に収納されることがある他の商品は図示を省略する。
【００８４】
以上の点から、本実施例のブラシ部品成形キット１４は、例えば平面サイズを７７×１５５ｍｍとし、その最大厚さを１５ｍｍとすることが容易である。
【００８５】
ハンドル部材１６、１６’は、基台部品１７に組み付けられる基部１９側が太く、先端部２０側に向かって次第に細くなる板状を呈しており、基部１９付近の部分において大きく屈曲形成されている。そして基部１９にはそれぞれ雄ネジを半分割した形状の雄ネジ要素２１が設けられている。一方、ハンドル部材１６、１６’の合わせ面側には、合わせ面方向へ突出（厚肉化）させた補強用リブ２２が適宜なパターンで設けられ、１対のハンドル部材１６、１６’における補強用リブ２２の互いに対応する適当な箇所には、孔２３と、この孔２３に圧入可能な突起２４とが形成されている。
【００８６】
基台部品１７は長方形の板状部品であって、その背面側にはハンドル部材１６、１６’の雄ネジ要素２１によって構成される雄ネジを螺合できるネジ孔２５が設けられている。なお、雄ネジとネジ孔２５とは、これらを一杯に螺合した際に基台部品１７とハンドルとが後述の図９に示すリニアな関係に組み付くように、正確に形成されている必要がある。基台部品１７のブラシ面側には、比較的短い（例えば１０ｍｍ以下）ブラシ歯２６が多数立設されている。
【００８７】
上記のブラシ部品成形キット１４を用いて、図８及び図９に示す毛髪化粧料用のブラシ２７が組み付けられる。この組み付け操作は、以下のように極めて簡単である。即ち、まずランナー部１８を切断してハンドル部材１６、１６’と基台部品１７とを取り出す。そしてハンドル部材１６、１６’を、それらの合わせ面における孔２３に対する突起２４の圧入を利用して組み付け、ハンドル２８を構成する。次にハンドル２８の基部に形成された前記雄ネジを基台部品１７のネジ孔２５に一杯に螺合することにより、ブラシ２７が組み付けられる。
【００８８】
こうして構成されたブラシ２７においては、ハンドル２８が補強用リブ２２の存在によって筒状に近い（断面が下向きの「コ」字状である）立体的な補強構造を備え、かつ、そのハンドル２８が基台部品１７の背面側へ大きく立ち上がっている（その立ち上げ幅は、例えば４０ｍｍ程度である）。
【００８９】
〔実施例２〕
本実施例も含め、以下の実施例において上記実施例１と同様の構成部分については、実施例１の場合と同じ部品番号を付し、かつその説明を省略する。
【００９０】
図１０〜図１２に示すブラシ部品成形キット２９は、ポリプロピレン樹脂を用いて一体的に型成形されたものであり、実施例１のような外枠部材は備えていない。そして１対のハンドル部材３０、３０’と、基台部品３１と、板状のベース部材３２とが、それぞれ個別に、かつ連結して一体的に成形されている。
【００９１】
板状のベース部材３２は、図１０における左側に薄肉の折り返し用ヒンジ３３を介して基台部品３１を連結し、図１０における上下両側には対称な１対のハンドル部材３０、３０’の基部を薄肉のヒンジ３４を介して連結している。ヒンジ３４は、ハンドル部材３０、３０’の図１０における手前方向への（図１１における奥行方向への）ヒンジ動作を許すものである。
【００９２】
ベース部材３２には図１２に示すように２ケ所の筒部３５が設けられ、ヒンジ３３によってベース部材３２を折り返すと、筒部３５が基台部品３１の背面側に設けた２ケ所の突起３６に密に嵌合されることにより、基台部品３１に対してベース部材３２が組み付けられた状態となる。ベース部材３２をこのように折り返して組み付けた状態においては、前記ヒンジ３４は、ハンドル部材３０、３０’の図１０における下方（基台部品３１の背面側）へのヒンジ動作を許すものとなっている。
【００９３】
一方、１対のハンドル部材３０、３０’の基部は、その補強用のリブも含めてベース部材３２の（図１０における）上下幅のちょうど半分の厚さを備えており、従ってハンドル部材３０、３０’をハンドルを構成するためにヒンジ動作させたとき、ハンドル部材３０、３０’相互の合わせ面がちょうど合致するようになっている。
【００９４】
上記のブラシ部品成形キット２９を用いて、図１３及び図１４に示す毛髪化粧料用のブラシ３７が、次のように組み付けられる。即ち、まず、上記のように板状のベース部材３２を折り返して基台部品３１に組み付け、次に、１対のハンドル部材３０、３０’を基台部品３１の背面側へヒンジ動作させて、実施例１と同様の孔２３に対する突起２４の圧入により、互いに組み付ける。
【００９５】
こうして構成されたブラシ３７においては、ハンドル３８が補強用リブの存在によって筒状に近い（断面が下向きの「コ」字状である）立体的な補強構造を備え、かつ、そのハンドル３８が基台部品３１の背面側へ大きく立ち上がった形態となっている（その立ち上げ幅は、例えば３２ｍｍ程度）。
【００９６】
〔実施例３〕
図１５（ａ）〜（ｃ）に簡略化して示すブラシ部品成形キット３９は、ポリプロピレン樹脂を用いて一体的に型成形されたものであり、図１５（ａ）において背面側を見せている基台部品４０の下端にハンドル支持板４１を一体的に突設し、このハンドル支持板４１の左右両側に対称の形態の一対のハンドル部材４２、４２’を薄肉のヒンジ（図示省略）を介して連結している。
【００９７】
そして、一対のハンドル部材４２、４２’を基台部品４０の背面側へヒンジ動作させ、これらを孔２３に対する突起２４の圧入を利用して互いに組み付けると、図１５（ｂ）に斜視図を示すブラシ４３が構成される。なお、図１５（ａ）には示していないが、図１５（ｂ）のＡ−Ａ線に沿う断面図である図１５（ｃ）のように、ハンドル支持板４１と、一対のハンドル部材４２、４２’との間にも、密に嵌合する突起４４と凹部４５とが設けられ、ブラシ４３の組み付け状態においてこれらが嵌合することにより、組み付け強度を高めている。
【００９８】
こうして構成されたブラシ４３においては、ハンドルが、ハンドル支持板４１と一対のハンドル部材４２、４２’とからなる実質的に三角形筒状の立体的な補強構造を持ち、かつ、そのハンドルが基台部品４０の背面側へ大きく立ち上がった形態となっている。
【００９９】
〔実施例４〕
図１６（ａ），（ｂ）に簡略化して示すブラシ部品成形キット４６は、ポリプロピレン樹脂を用いて一体的に型成形されたものであり、図１６（ａ）において背面側を見せている基台部品４７の下端部分の左右両側に、対称の形態の一対のハンドル部材４８、４８’を薄肉のヒンジ（図示省略）を介して連結している。
【０１００】
そして、一対のハンドル部材４８、４８’を基台部品４７の背面側へヒンジ動作させ、これらを孔２３に対する突起２４の圧入を利用して互いに組み付けると、図１６（ｂ）に示すブラシ４９が構成される。
【０１０１】
こうして構成されたブラシ４９においては、ハンドルが、基台部品４７と一対のハンドル部材４８、４８’とからなる実質的に三角形筒状の立体的な補強構造を持ち、かつ、そのハンドルが基台部品４７の背面側へ大きく立ち上がった形態となっている。
【０１０２】
〔実施例５〕
図１７に示すブラシ部品成形キット５０は、前記した実施例１の変更実施例である。即ち、実施例１の場合と同一の構成を持つ基台部品１７に対して、図示のように実施例１の場合と同一の構成を持つ一対のハンドル部材１６，１６’がランナー部５１を介して連結成形されている。一対のハンドル部材１６，１６’の基部間もランナー部を介して連結成形されていても良い。
【図面の簡単な説明】
【図１】従来の一体成形型ブラシを示す図である。
【図２】従来の一体成形型ブラシを示す図である。
【図３】従来の組み付け型ブラシの組み付け状態を示す図である。
【図４】従来の組み付け型ブラシの分解状態を示す図である。
【図５】実施例１に係るブラシ部品成形キットの平面図である。
【図６】実施例１に係るブラシ部品成形キットの底面図である。
【図７】実施例１に係るブラシ部品成形キットの正面図である。
【図８】実施例１に係る毛髪化粧料用ブラシの平面図である。
【図９】図８のＸ−Ｘ線に沿う断面図である。
【図１０】実施例２に係るブラシ部品成形キットの底面図である。
【図１１】実施例２に係るブラシ部品成形キットの平面図である。
【図１２】図１０のＹ−Ｙ線に沿う断面図である。
【図１３】実施例２に係る毛髪化粧料用ブラシの平面図である。
【図１４】図１３のＺ−Ｚ線に沿う断面図である。
【図１５】実施例３を簡略化して示す図である。
【図１６】実施例４を簡略化して示す図である。
【図１７】実施例５に係るブラシ部品成形キットの平面図である。
【図１８】実施例に係る毛髪化粧料セットの包装箱への収納例を示す斜視図である。
【符号の説明】
１４　　　　　　　ブラシ部品成形キット
１５　　　　　　　外枠部材
１６、１６’　　　ハンドル部材
１７　　　　　　　基台部品
１８　　　　　　　ランナー部
１９　　　　　　　基部
２０　　　　　　　先端部
２１　　　　　　　雄ネジ要素
２２　　　　　　　補強用リブ
２３　　　　　　　孔
２４　　　　　　　突起
２５　　　　　　　ネジ孔
２６　　　　　　　ブラシ歯
２７　　　　　　　ブラシ
２８　　　　　　　ハンドル
３２　　　　　　　ベース部材
３３　　　　　　　ヒンジ
３５　　　　　　　筒部
３６　　　　　　　突起
４１　　　　　　　ハンドル支持板
５２　　　　　　　包装箱
【図１】
2004057455.tif 000003
【図２】
2004057455.tif 000004
【図３】
2004057455.tif 000005
【図４】
2004057455.tif 000006
【図５】
2004057455.tif 000007
【図６】
2004057455.tif 000008
【図７】
2004057455.tif 000009
【図８】
2004057455.tif 000010
【図９】
2004057455.tif 000011
【図１０】
2004057455.tif 000012
【図１１】
2004057455.tif 000013
【図１２】
2004057455.tif 000014
【図１３】
2004057455.tif 000015
【図１４】
2004057455.tif 000016
【図１５】
2004057455.tif 000017
【図１６】
2004057455.tif 000018
【図１７】
2004057455.tif 000019
【図１８】
2004057455.tif 000020